(57)【要約】【課題】通信用ジャックにてデータ転送を行う際に発熱する制御素子を効率よく冷却することができる構造を提供すること。【解決手段】本体部に冷却ファンを内蔵し、前記本体部に備えられた通信用ジャック部を覆うジャック蓋を有する電子機器において、前記本体部の外装ケースに前記冷却ファンの駆動によって外部の空気を吸入する吸入口と、前記外装ケースに設けられ、前記冷却ファンの駆動によって生じた気流を排出する排気口と、を備え、前記ジャック蓋を開けた時に露出する露出部に前記吸入口と前記排気口とは異なる吸気口または排気口のいずれかを形成する。【選択図】図７
2018191022.tif 000002
【特許請求の範囲】
【請求項１】
本体部に冷却ファンを内蔵し、前記本体部に備えられた通信用ジャック部を覆うジャック蓋を有する電子機器において、
前記本体部の外装ケースに前記冷却ファンの駆動によって外部の空気を吸入する吸入口と、
前記外装ケースに設けられ、前記冷却ファンの駆動によって生じた気流を排出する排気口と、を備え、
前記ジャック蓋を開けた時に露出する露出部に前記吸入口と前記排気口とは異なる吸気口または排気口のいずれかを形成している電子機器。
【請求項２】
前記通信用ジャックは映像信号を通信するジャックであることを特徴とする請求項１に記載の電子機器。
【請求項３】
前記通信用ジャックの入出力信号制御素子がジャックの近傍に実装されており、前記ジャック蓋の開動作により露出する排気口に排気される気流、または前記ジャック蓋の開動作により露出する吸気口から吸気される気流が前記入出力信号制御素子の排熱を行うことを特徴とする請求項１又は請求項２に記載の電子機器。
【発明の詳細な説明】
【技術分野】
【０００１】
本発明は、強制空冷構造を備える電子機器に関する。
【背景技術】
【０００２】
小型化と高機能化した電子機器が市場から要望されるに伴い、内部電気素子の保証温度を超えることによる熱暴走などが近年問題となっている。電子機器の中でも特に撮像機器においては撮影画素数の増加や撮影フレームレートの増加により、撮影および外部出力を行う際には消費電力が増大してきた。そのためファンを用いた強制空冷構造を適用する撮像機器が提案されている（特許文献１）。
【先行技術文献】
【特許文献】
【０００３】
【特許文献１】特開２００６−２９５８５５号公報
【発明の概要】
【発明が解決しようとする課題】
【０００４】
上記先行例では強制空冷構造を備える筺体にはファンにより空気を吸気するための吸気口と、撮像機器内部で熱交換を行い暖められた空気を外部に排出する排気口が設けられている。しかしながら吸気口・排気口が一つずつしか存在しないため。複数枚の基板を均等に冷却することしかできないため、通信用ジャックにてデータ転送を行う際に発熱する制御素子を効率よく冷却することが困難であった。
【課題を解決するための手段】
【０００５】
１）上記の目的を達成するために、請求項１に係る電子機器は、本体部に冷却ファンを内蔵し、前記本体部に備えられた通信用ジャック部を覆うジャック蓋を有する電子機器において、前記本体部の外装ケースに前記冷却ファンの駆動によって外部の空気を吸入する吸入口と、前記外装ケースに設けられ、前記冷却ファンの駆動によって生じた気流を排出する排気口と、を備え、前記ジャック蓋を開けた時に露出する露出部に前記吸入口と前記排気口とは異なる吸気口または排気口のいずれかを形成していることを特徴としている。
【０００６】
２）請求項２に係る電子機器は、請求項１に記載の電子機器において、前記通信用ジャックは映像信号を通信するジャックであることを特徴としている。
【０００７】
３）請求項３に係る撮像機器は、請求項１又は請求項２に記載の撮像機器において、前記通信用ジャックの入出力信号制御素子がジャックの近傍に実装されており、前記ジャック蓋の開動作により露出する排気口に排気される気流、または前記ジャック蓋の開動作により露出する吸気口から吸気される気流が前記入出力信号制御素子の排熱を行うことを特徴としている。
【発明の効果】
【０００８】
本発明に係る撮像機器によれば、信号を通信するジャックを利用するために開くジャックカバーの内側に吸気口・排気口のいずれかを配置する必要な領域に配置することで本体の小型化をさせ、またジャックにて高速にデータ転送を行う際に発熱する制御素子を効率よく冷却することができるという効果がある。
【図面の簡単な説明】
【０００９】
【図１】撮像機器本体１００の構成を示すブロック図
【図２】撮像機器本体１００の前方左上側斜視図
【図３】撮像機器本体１００の後方右上側斜視図
【図４】撮像機器本体１００の後方左上側斜視図
【図５】ジャック蓋１６０を取り外した状態の撮像機器本体１００の左側斜視図
【図６】ジャック蓋１６０を閉じている状態の撮像機器本体１００の内部の風の流れを示す図
【図７】ジャック蓋１６０を開いている状態の撮像機器本体１００の内部の風の流れを示す図
【発明を実施するための形態】
【００１０】
以下、本発明の第１の実施形態について図面を参照しながら説明する。
【００１１】
図１は撮像機器の構成を示すブロック図であり、図２は撮像機器本体１００の前方右上側斜視図である。
【００１２】
撮像機器本体１００は、図１に示すように、フォーカス及びズーム等の光学制御系を含む光学レンズ群及び絞りからなるレンズユニット１０１、ＣＣＤなどの撮像素子を含む撮像部１０２、カメラ信号処理部１０３、圧縮伸張処理部１０４、表示部１０５、記録再生処理部１０６、カード制御部１０７、マイクロフォン１０９、音声信号処理部１１０、メモリ１１１、メモリ制御部１１２、ＣＰＵ１１３、操作部１１４、出力信号処理部１１５、デジタルＩ／Ｆ１１６、電源制御部１１７、ファン制御部１２４、ファン３００を備えている。また各機能ブロックはそれぞれデータバス１１８を介して互いにデータ通信可能に接続されている。
【００１３】
このような撮像機器本体１００において、メモリ１１１は、プログラム記憶領域とデータ作業領域を有し、データバス１１８を介して各機能ブロックでタイム・シェアリングして使用され、メモリ制御部１１２により制御及び管理されている。
【００１４】
ＣＰＵ１１３は所定のプログラムを実行すること等により、撮像機器本体１００全体を統括制御する中央演算処理回路である。操作部１１４はユーザーからのキー操作などに基づいて、ＣＰＵ１１３に対して動作指示する機能を有する。ズームツマミ１１４ａと動画撮影ボタン１１４ｂは、撮像機器本体１００に対して回動可能な回転グリップ部１３０に配置されており、操作部１１４の一部を成している。ズームツマミ１１４ａはレンズの画角をワイド側又はテレ側に変化させるズーム操作を行うことができ、動画撮影ボタン１１４ｂは押圧動作することで動画撮影のスタート／ストップを行うことが可能である。
【００１５】
デジタルＩ／Ｆ１１６は、例えばＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）等の規格に従い信号を授受するＨＤＭＩジャック１６１（後述）である。
【００１６】
メモリーカード１１９は、ＳＤカードやＣＦ（ＣｏｍｐａｃｔＦｌａｓ）カード等の脱着式のフラッシュメモリーであり、撮影データ及び音声データが記録される。
【００１７】
電源制御部１１７は、バッテリ検出回路、ＤＣ−ＤＣコンバータ、通電するブロックを切り替えるスイッチ回路等により構成されており、電池の装着の有無、電池の種類、電池残量の検出を行う。
【００１８】
次に、本発明の第１の実施形態における撮像機器の撮影動作及び記録動作、再生動作について説明する。
【００１９】
例えば、操作部１１４により撮影動作及び記録動作が指示された場合、被写体からの光は、レンズユニット１０１により所定の明るさ、画角、及びフォーカス等が制御された光学信号となって撮像部１０２に対して入力される。撮像部１０２は入力光学信号を電気信号に変換し、カメラ信号処理部１０３に出力する。カメラ信号処理部１０３はこの電気信号をデジタル画像信号に変換する。そして、この画像信号に対して、色分離、階調補正、及びホワイトバランス調整などの信号処理を施した後出力する。音声信号処理部１１０は、マイクロフォン１０９より入力された音声信号を所定レベルにゲインコントロールしてデジタル化することで、音声データとして出力する。
【００２０】
圧縮伸張処理部１０４は、カメラ信号処理部１０３から出力された画像データ及び音声信号処理部１１０から出力された音声データを所定の圧縮符号化方式により圧縮符号化する。表示部１０５は、後述する図２及び図３に示す撮像機器本体１００の後部に配置される液晶表示部１０５ａにより構成され、圧縮伸張処理部１０４で圧縮符号化対象の撮影データが画像信号化され画像として表示する。また、表示部１０５は、必要に応じて撮像機器本体１００の動作状況をオンスクリーン・ディスプレイ情報として表示する。
【００２１】
記録再生処理部１０６は、圧縮伸張処理部１０４で得られた圧縮符号化後のデータに対して、エラー訂正符号化処理や変調処理等を施し、カード制御部１０７により記録媒体であるメモリーカード１１９に記録する。
【００２２】
一方、操作部１１４により再生動作が指示された場合、記録再生処理部１０６は、メモリーカード１１９から読み出したデータから元のデジタルデータを検出し、エラー訂正及び復調等の処理を施す。また、ＰＬＬ（Ｐｈａｓｅ  Ｌｏｃｋｅｄ  Ｌｏｏｐ）回路によりこの再生データに同期したクロックを生成する。
【００２３】
圧縮伸張処理部１０４は、記録再生処理部１０６より出力されたデータに対して、所定の圧縮符号化方式に対応した伸張処理を施し、圧縮符号化前の撮影データ及び音声データを取得する。表示部１０５は、圧縮伸張処理部１０４で得られた再生データを表示する。
出力信号処理部１１５は、データバス１１８を介して受け取った映像・音声データをデジタルＩ／Ｆ１１６より出力するための信号処理を行い、デジタルＩ／Ｆ１１６に接続された外部装置１２１に出力を行う。
【００２４】
ファン３００はファン制御部１２４によりＰＷＭ（  ｐｕｌｓｅ  ｗｉｄｔｈ  ｍｏｄｕｌａｔｉｏｎ）制御で、回転数を制御されており、ＣＰＵ１１３やその他の内部電気素子の強制空冷を行っている。
【００２５】
次に発明の第１の実施例における撮像機器本体１００の外観構成及び動作状態について説明する。
【００２６】
図３は撮像機器本体１００の後方右上側斜視図、図４は後方左上側斜視図であり図５はジャック蓋１６０を取り外した状態の左側斜視図である。
【００２７】
撮像機器本体１００の外装面には撮像機器本体１００内部に備えられているファン３００の駆動によって外部の空気を吸入する吸気口１４０をグリップ側側面に備える。さらに本体の反対側にファン３００の駆動によって生じた気流を排出する後述する排気口１５０を備える。
【００２８】
図４および図５に示すように、排気口１５０の近傍にはＨＤＭＩジャック１６１を覆うジャック蓋１６０が配置されており、ジャック蓋１６０を取り外すとＨＤＭＩジャック１６１の近傍にサブ吸気口１４２が設けられている。
【００２９】
図６はジャック蓋１６０を閉じている状態の撮像機器本体１００内部の風の流れを示す図であり、特に（ａ）は右後ろから見た図、（ｂ）は上部から見た図である。また図６では便宜上吸気口１４０を形成するグリップ側カバー１４１と排気口１５０を形成する操作面側カバー１５１、メイン基板２００、ファン３００のみを図示している。図中の矢印に示すように、吸気口１４０から吸入された冷えた空気はメイン基板２００上に実装された内部電気素子を冷やし、ファン３００により排気口１５０から排気される。
【００３０】
図７はＨＤＭＩジャック１６１を使用するために、ジャック蓋１６０を開いている状態の撮像機器本体１００内部の風の流れを示す図あり、特に（ａ）は左前から見た図である。（ｂ）は上部から見た図である。また図７でも便宜上吸気口１４０を形成するグリップ側カバー１４１と排気口１５０を形成する操作面側カバー１５１、メイン基板２００、ファン３００のみを図示している。
【００３１】
メイン基板２００上のＨＤＭＩジャック１６１の直近には出力信号処理部１１５を含む素子２０１が実装されており、素子２０１とＨＤＭＩジャック１６１の間で高速なデータのやりとりが可能であり、ＨＤＭＩジャック１６１を使用して外部装置１２１に信号の送信を行う際には、素子２０１の消費電力が増大しが非常に熱くなる。しかしながらジャック蓋１６０が開いているためにサブ吸気口１４２からも冷えた外気を吸入することができ、素子２０１を効率よく冷却することができる。サブ吸気口１４２から吸入された空気は、図中の矢印に示すように撮像機器本体１００の内部に広がり、吸気口１４０から吸入された空気と一緒にファン３００により排気口１５０から排気される。
【００３２】
図５と図６に示すように、ジャック蓋１６０を開けた状態と閉めた状態では撮像機器本体１００内部の風の流れが異なりジャック蓋１６０を開いた状態では素子２０１を効率よく冷却することができる。
【００３３】
以上、本発明をその好適な実施形態に基づいて詳述してきたが、本発明はこれら特定の実施形態に限られるものではなく、この発明の要旨を逸脱しない範囲の様々な形態も本発明に含まれる。また本実施例ではジャックの近傍に吸気口があるように説明したが、排気口である場合も含まれもよい。撮像機器本体の吸気口から排気口の位置関係が異なる場合も本発明に含まれる。また上述の実施形態の一部を適宜組み合わせてもよい。
【符号の説明】
【００３４】
１００  撮像機器本体、１０１  レンズユニット、１０２  撮像部、
１０３  カメラ信号処理部、１０４  圧縮伸張処理部、１０５  表示部、
１０６  記録再生処理部、１０７  カード制御部、１０８  グリップ回転検出部、
１０９  マイクロフォン、１１０  音声信号処理部、１１１  メモリ、
１１２  メモリ制御部、１１３  ＣＰＵ、１１４  操作部、
１１５  出力信号処理部、１１６  デジタルＩ／Ｆ、１１７  電源制御部、
１１８  データバス、１１９  メモリーカード、１２１  外部装置、
１２４  ファン制御部、１３０  回転グリップ部、１４０  吸気口、
１４１  グリップ側カバー、１４２  サブ吸気口、１５０  排気口、
１５１  操作面側カバー、１６０  ジャック蓋、１６１  ＨＤＭＩジャック、
２００  メイン基板、２０１  素子、３００  ファン
【図１】
2018191022.tif 000003
【図２】
2018191022.tif 000004
【図３】
2018191022.tif 000005
【図４】
2018191022.tif 000006
【図５】
2018191022.tif 000007
【図６】
2018191022.tif 000008
【図７】
2018191022.tif 000009